(57)【要約】【課題】建物の出隅部に貼り付けられる壁紙の結合強度を十分に高めることが可能なコーナ下地材を提供する。【解決手段】コーナ下地材１は、建物の出隅部Ｘに壁紙５０を貼り付けるための下地材として用いられるものであり、出隅部Ｘの基材３０の角部Ｃを覆うように取り付けられる互いに交差した第１壁部１１および第２壁部１２を有している。第１壁部１１および第２壁部１２の各表面には、間隔を空けて並ぶ複数の凹溝２２により区画された複数の基本突条２１が形成されており、各基本突条２１の表面には、当該基本突条２１よりも小さい複数の微細突条２３が形成されている。【選択図】図７
2019065672.tif 000002
【特許請求の範囲】
【請求項１】
建物の出隅部において壁紙用の下地材として用いられるコーナ下地材であって、
前記出隅部の基材の角部を覆うように取り付けられる互いに交差した第１壁部および第２壁部を備え、
前記第１壁部および第２壁部の各表面に、間隔を空けて並ぶ複数の凹溝により区画された複数の基本突条が形成され、
前記各基本突条の表面に、当該基本突条よりも小さい複数の微細突条が形成された、ことを特徴とするコーナ下地材。
【請求項２】
請求項１に記載のコーナ下地材において、
前記基本突条および微細突条は、それぞれ前記基材の延設方向と平行に延びるように形成されている、ことを特徴とするコーナ下地材。
【請求項３】
請求項２に記載のコーナ下地材において、
前記微細突条は、断面視において三角形状に形成されるとともに、その三角形の頂点で交差する第１面および第２面を有し、
前記第２面は第１面に比べて、前記第１壁部および第２壁部の各表面どうしが交差する外角部に近い側に位置し、
前記第１面および第２面の各基端と交差する仮想の平面を仮想底面としたとき、前記第１面は当該仮想底面と第１角度をもって交差し、前記第２面は前記第１角度よりも大きい第２角度をもって前記仮想底面と交差する、ことを特徴とするコーナ下地材。
【請求項４】
請求項３に記載のコーナ下地材において、
前記第１角度が９０度未満の鋭角に設定され、かつ前記第２角度が９０度よりも大きい鈍角に設定された、ことを特徴とするコーナ下地材。
【請求項５】
請求項１〜４のいずれか１項に記載のコーナ下地材において、
前記凹溝は、その底面に近い側の溝幅の方が底面から遠い側の溝幅よりも広くなるように形成されている、ことを特徴とするコーナ下地材。
【発明の詳細な説明】
【技術分野】
【０００１】
本発明は、建物の出隅部において壁紙用の下地材として用いられるコーナ下地材に関する。
【背景技術】
【０００２】
住宅等の建物の室内に壁紙を施工する場合、一般には、石膏ボード等の壁部材の表面に接着剤を介して壁紙を貼り付けるが、コーナ部において同様の方法で壁紙を貼り付けてもきれいに仕上がらないことが多い。例えば、石膏ボードの端面同士を交差状に突き合わせて凸型のコーナ部（以下、これを出隅部という）を形成した場合、石膏ボード同士の突合せ部に比較的大きな隙間や段差が生じ易い。このように石膏ボードにより形成された出隅部に壁紙を貼り付けても、壁紙にしわやゆがみが生じ易く、施工性が悪いという問題があった。
【０００３】
そこで、石膏ボードとは異なる合成樹脂等の材質で形成されたコーナ下地材を出隅部に取り付け、このコーナ下地材に壁紙を貼り付けることが提案されている。例えば、下記特許文献１には、発泡樹脂等の樹脂成形体からなる断面Ｌ字状のコーナ下地材を出隅部に取り付けるとともに、このコーナ下地材の表面にパテや接着剤を介して壁紙を貼り付けることが開示されている。
【先行技術文献】
【特許文献】
【０００４】
【特許文献１】特開２００３−１７６６１２号公報
【発明の概要】
【発明が解決しようとする課題】
【０００５】
上記特許文献１では、さらに、多数の縦溝（凹溝）により区画された多数の突条（リブ）をコーナ下地材の表面に形成することも提案されている。これによれば、コーナ下地材の表面に対するパテまたは接着剤の結合強度、ひいては壁紙の結合強度が高まることが期待される。
【０００６】
具体的に、上記特許文献１では、コーナ下地材の上記突条として、同一深さの縦溝により区画された一定パターンの突条が形成されている。しかしながら、本願発明者の知見によれば、このような一定パターンの突条を形成しただけでは、壁紙の結合強度が期待通りに高められないことが多い。このため、コーナ下地材の表面形状についてさらなる改善が求められていた。
【０００７】
本発明は、上記のような事情に鑑みてなされたものであり、建物の出隅部に貼り付けられる壁紙の結合強度を十分に高めることが可能なコーナ下地材を提供することを目的とする。
【課題を解決するための手段】
【０００８】
前記課題を解決するためのものとして、本発明は、建物の出隅部において壁紙用の下地材として用いられるコーナ下地材であって、前記出隅部の基材の角部を覆うように取り付けられる互いに交差した第１壁部および第２壁部を備え、前記第１壁部および第２壁部の各表面に、間隔を空けて並ぶ複数の凹溝により区画された複数の基本突条が形成され、前記各基本突条の表面に、当該基本突条よりも小さい複数の微細突条が形成された、ことを特徴とするものである（請求項１）。
【０００９】
本発明によれば、コーナ下地材の第１・第２壁部に複数の凹溝が形成されるので、この凹溝に充填されるパテや接着剤等の充填材（以下、単に充填材という）がいわゆるアンカー効果を発揮し、充填材のコーナ下地材に対する結合強度が全体的に高められる。加えて、複数の凹溝の間に形成された複数の基本突条の各表面に微細突条が形成されるので、充填材を介して壁紙がコーナ下地材に貼り付けられた状態で、仮に壁紙に何らかの外力が加わったとしても、その外力に伴う充填材の局所変形が微細突条により抑制される。例えば、基本突条の表面から仮に微細突条が省略された場合（基本突条の表面が平滑面とされた場合）には、基本突条の表面と壁紙との間に塗布された薄層の充填材が比較的容易にせん断方向に変形すると考えられる。このため、例えば壁紙に繰り返し外力が加わったような場合に、充填材と基本突条との結合が比較的容易に解除されて、壁紙が剥がれるおそれがある。これに対し、本発明のように、基本突条の表面に複数の微細突条を形成した場合には、各微細突条の間に形成された微小な凹溝にそれぞれ充填材が入り込むので、例えば壁紙に加わった外力を受けて充填材がせん断方向に変形しようとしても、その変形が微細突条により阻止される。これにより、充填材と基本突条との結合強度が高められるので、上述した基本突条間の凹溝によるアンカー効果と相俟って、壁紙がコーナ下地材から剥がれるのを効果的に抑制することができる。
【００１０】
前記基本突条および微細突条は、それぞれ前記基材の延設方向と平行に延びるように形成することが好ましい（請求項２）。
【００１１】
前記構成において、より好ましくは、前記微細突条は、断面視において三角形状に形成されるとともに、その三角形の頂点で交差する第１面および第２面を有し、前記第２面は第１面に比べて、前記第１壁部および第２壁部の各表面どうしが交差する外角部に近い側に位置し、前記第１面および第２面の各基端と交差する仮想の平面を仮想底面としたとき、前記第１面は当該仮想底面と第１角度をもって交差し、前記第２面は前記第１角度よりも大きい第２角度をもって前記仮想底面と交差する（請求項３）。
【００１２】
この構成によれば、各微細突条が呈する三角形が不等辺三角形、より詳しくはコーナ下地材の外角部側を向いて倒れるように変形した不等辺三角形に形成されるので、例えば経年劣化等による壁紙の破損が最も起き易いコーナ下地材の外角部を起点として壁紙が剥がれようとしても、その剥がれが微細突条により十分に抑制される結果、壁紙をより安定的にコーナ下地材に結合させることができる。
【００１３】
前記構成において、より好ましくは、前記第１角度が９０度未満の鋭角に設定され、かつ前記第２角度が９０度よりも大きい鈍角に設定される（請求項４）。
【００１４】
この構成によれば、上述した方向に壁紙が剥がれるのをより効果的に抑制することができ、壁紙の結合強度をより安定的に維持することができる。
【００１５】
本発明において、好ましくは、前記凹溝（隣接する基本突条の間に形成される凹溝）は、その底面に近い側の溝幅の方が底面から遠い側の溝幅よりも広くなるように形成される（請求項５）。
【００１６】
この構成によれば、基本突条間の凹溝によるアンカー効果をより高めることができ、コーナ下地材に対する充填材の結合強度を全体的に十分に高めることができる。
【発明の効果】
【００１７】
以上説明したように、本発明のコーナ下地材によれば、建物の出隅部に貼り付けられる壁紙の結合強度を十分に高めることができる。
【図面の簡単な説明】
【００１８】
【図１】本発明の一実施形態にかかるコーナ下地材が適用された建物の出隅部を示す断面図である。
【図２】上記出隅部の一部分解斜視図である。
【図３】上記コーナ下地材を単体で示す斜視図である。
【図４】上記コーナ下地材を単体で示す断面図である。
【図５】図４の一部拡大図である。
【図６】上記コーナ下地材に壁紙を貼り付ける手順（その１）を説明するための図である。
【図７】上記コーナ下地材に壁紙を貼り付ける手順（その２）を説明するための図である。
【図８】上記コーナ下地材による作用効果を説明するための図である。
【図９】上記実施形態の変形例を説明するための図である。
【発明を実施するための形態】
【００１９】
図１および図２は、本発明の一実施形態にかかるコーナ下地材１が適用された建物の出隅部Ｘを示す断面図および斜視図である。これら図１および図２に示される出隅部Ｘは、例えば住宅等の建物の室内において室内空間Ｚ側に凸となるように形成されたコーナ部であり、略９０度の角度をもって交差する室内の２つの壁部材により形成されている。この出隅部Ｘの裏側には鋼製の基材３０（図例ではＣ型鋼）が上下方向に延びるように配設されている。なお、基材３０は鋼製のものに限られず、例えば木製の角材であってもよい。
【００２０】
基材３０が呈する角Ｃ字状断面の各辺のうち室内空間Ｚ側を臨む２辺に対応する壁部を第１ベース壁３１および第２ベース壁３２とすると、これら第１ベース壁３１および第２ベース壁３２には、例えば石膏ボード等からなる第１壁部材４１および第２壁部材４２が図外のビス等を介してそれぞれ固定されている。第１壁部材４１および第２壁部材４２は、基材３０の各ベース壁３１，３２が交差する角部Ｃおよびその近傍を除いた領域に取り付けられており、第１壁部材４１の端面４１ａと第２壁部材４２の端面４２ａとが互いに離間している。そして、これら各端面４１ａ，４２ａの間に形成される断面略Ｌ字状の空白領域を埋めるように、コーナ下地材１が取り付けられている。コーナ下地材１としては、例えば発泡性の塩化ビニル樹脂等からなる樹脂成形品が用いられる。
【００２１】
基材３０に対し図１の紙面右側に離れた位置には別の基材（図示省略）が配設されており、これら２つの基材の間を覆うように第１壁部材４１が取り付けられている。第１壁部材４１は、その一端部（コーナ下地材１に近接する部分）が基材３０の第１ベース壁３１に図外のビス等で締結されることにより、基材３０に固定されている。
【００２２】
基材３０に対し図１の紙面下側に離れた位置には別の基材（図示省略）が配設されており、これら２つの基材の間を覆うように第２壁部材４２が取り付けられている。第２壁部材４２は、その一端部（コーナ下地材１に近接する部分）が基材３０の第２ベース壁３２に図外のビス等で締結されることにより、基材３０に固定されている。
【００２３】
コーナ下地材１は、第１・第２壁部材４１，４２の各端面４１ａ，４２ａの間の空白領域を埋めるように断面略Ｌ字状に形成されるとともに、基材３０の室内空間Ｚ側の角部Ｃ（稜線）に沿って上下方向に延びるように配置されている。コーナ下地材１は、基材３０の第１ベース壁３１に当接する第１壁部１１と、第２ベース壁３２に当接する第２壁部１２とを有しており、第１壁部１１が第１ベース壁３１にビス３７で締結されることにより、基材３０に固定されている。
【００２４】
第１壁部１１の表面と第２壁部１２の表面とが交差することにより、コーナ下地材１の室内空間Ｚ側の角部をなす外角部１５が形成されている。外角部１５は、建物の出隅部Ｘにおける上下方向に延びる稜線を形成するものである。なお、外角部１５は、微小半径の丸みをもったＲ面とされている（後の図３、図４参照）。
【００２５】
コーナ下地材１の内角部、つまり室内空間Ｚと反対側の角部には、室内空間Ｚ側に凹入するように除肉された除肉凹部１６が形成されている。
【００２６】
第１壁部１１における第１壁部材４１に近い側の端部には、当該端部の室内空間Ｚ側の一部を除肉した面取り部１７が形成されている。同様に、第２壁部１２における第２壁部材４２に近い側の端部には、当該端部の室内空間Ｚ側の一部を除肉した面取り部１８が形成されている。
【００２７】
以上のような第１・第２壁部材４１，４２およびコーナ下地材１の各表面（室内空間Ｚ側の面）には、後述するパテ５２および接着剤５１を介して壁紙５０が貼り付けられる。すなわち、壁紙５０は、第１壁部材４１の表面と、コーナ下地材１の第１壁部１１および第２壁部１２の各表面（外角部１５を含む）と、第２壁部材４２の表面とを連続して覆うように貼り付けられる。壁紙５０は、意匠面を構成する軟質のシート状体であればよく、その材質および構造は特に限定されない。例えば紙、樹脂、布等の種々の材質やその混合物からなる軟質のシート状体を壁紙５０として用いることができる。
【００２８】
図３および図４は、コーナ下地材１を単体で示す斜視図および断面図であり、図５は図４の一部拡大図である。これら図３〜図５および先の図１に示すように、コーナ下地材１の第１壁部１１および第２壁部１２の各表面には、上下方向（図１、図４において紙面に直交する方向；言い換えると基材３０の延設方向）に延びる複数の基本突条２１が形成されている。これら基本突条２１は、略一定のピッチで横方向（上下方向と直交する方向）に並ぶように設けられており、各基本突条２１の間には所定深さの凹溝２２がそれぞれ形成されている。言い換えると、第１壁部１１および第２壁部１２にそれぞれ複数の凹溝２２が間隔を空けつつ並設されることにより、隣接する凹溝２２の間にそれぞれ基本突条２１が区画形成されている。複数の基本突条２１と複数の凹溝２２とは、上下方向に沿って互いに平行に延びるとともに、横方向に交互に並ぶにように形成されている。
【００２９】
複数の凹溝２２は、それぞれ断面略台形の凹溝とされ、底面側ほど溝幅が拡大するように形成されている。すなわち、図５において、各凹溝２２における底面部の溝幅をＡ、底面から最も離れた開放端部の溝幅をＢとすると、Ａ＞Ｂという関係が成立する。各凹溝２２の深さＤは、例えばコーナ下地材１の厚み（図４に示す寸法Ｔ）の２〜１０％程度となるように設定されている。
【００３０】
第１壁部１１および第２壁部１２における複数の基本突条２１の各表面には、基本突条２１よりも突出量が小さい複数の微細突条２３が上下方向に延びるように形成されている。なお、微細突条の２３の突出量（後述する仮想底面Ｓから頂点Ｐまでの距離）は、上記の凹溝の深さＤの２〜１０％程度となるように設定されている。
【００３１】
図５に示すように、各微細突条２３は、断面視で三角形状に形成されるとともに、その三角形の頂点Ｐの位置で交差する第１面２３ａおよび第２面２３ｂを有している。第２面２３ｂは、第１面２３ａと比べて、コーナ下地材１の外角部１５に近い側に形成されている。
【００３２】
第１面２３ａおよび第２面２３ｂの各基端と交差する仮想の平面を仮想底面Ｓとしたとき、第１面２３ａは仮想底面Ｓと第１角度θ１をもって交差し、第２面２３ｂは仮想底面Ｓと第２角度θ２をもって交差している。また、第１面２３ａと第２面２３ｂとは角度θ３をもって交差している。そして、第１角度θ１および第３角度θ３は、ともに９０度よりも小さい鋭角に設定されている。これに対し、第２角度θ２は、他の角度θ１、θ３よりも大きい角度に設定されており、特に当実施形態では９０度よりも大きい鈍角に設定されている。
【００３３】
上記のような角度設定の結果、各微細突条２３が呈する三角形は、コーナ下地材１の外角部１５側に倒れるように変形した不等辺三角形となる。より詳しくは、仮想底面Ｓと直交しかつ仮想底面Ｓを二等分する仮想の平面を基準面Ｑとすると、微細突条２３が呈する三角形は、その頂点Ｐが基準面Ｑよりも外角部１５側に大きくオフセットするように形成されている。
【００３４】
次に、以上のようなコーナ下地材１に壁紙５０を貼り付ける手順について説明する。なお、壁紙５０を貼り付ける前の準備段階として、コーナ下地材１は既に基材３０にビス３７を介して固定されているものとする。
【００３５】
壁紙５０を貼り付けるには、まず、図６に示すように、コーナ下地材１の第１壁部１１および第２壁部１２の各表面にパテ５２を塗布する。詳しくは、第１・第２壁部１１，１２の各表面に形成された複数の凹溝２２と、各基本突条２１の表面に形成された複数の微細突条２３の間（隣接する微細突条２３の間に形成される凹溝）と、第１壁部１１と第１壁部材４１との間に形成される面取り部１７に対応する凹溝と、第２壁部１２と第２壁部材４２との間に形成される面取り部１８に対応する凹溝とに、いずれもパテ５２が隙間なく充填されるように、第１・第２壁部１１，１２の各表面にまんべんなくパテ５２を塗布する。なお、パテ５２としては、コーナ下地材１と後述する接着剤５１との双方に良好に結合し得るものが選定され、例えば、ペースト状の樹脂系母材に石膏粉を混ぜたものが好適である。
【００３６】
次に、図２および図７に示すように、裏面に接着剤５１が塗布された壁紙５０をコーナ下地材１に貼り付ける。具体的に、壁紙５０は、第１壁部材４１の表面と、コーナ下地材１の第１・第２壁部１１，１２の各表面と、第２壁部材４２の表面とを連続して覆うように貼り付けられる。接着剤５１としては、第１・第２壁部材４１，４２と壁紙５０との双方に良好に結合し得るものが選定され、例えば第１・第２壁部材４１，４２が石膏ボードである場合には、例えばデンプン系接着剤が接着剤５１として好適である。一方、コーナ下地材１は合成樹脂製であるため、石膏ボード等の材質を前提に選定された接着剤５１との相性は本来的に高くない。しかしながら、当実施形態では、コーナ下地材１の表面がパテ５２で覆われており、このパテ５２と接着剤５１との間に高い結合性が確保されるようにパテ５２の材質が選定されているので、これら接着剤５１およびパテ５２を介して、壁紙５０はコーナ下地材１に十分な強度で接着される。
【００３７】
以上説明したように、当実施形態では、出隅部Ｘの裏側に位置する基材３０にコーナ下地材１が取り付けられ、このコーナ下地材１にパテ５２および接着剤５１を介して壁紙５０が貼り付けられる。コーナ下地材１は、基材３０における角部Ｃを挟んだ２つのベース壁３１，３２にそれぞれ取り付けられる互いに交差した第１壁部１１および第２壁部１２を有している。第１壁部１１および第２壁部１２の各表面には、間隔を空けて並ぶ複数の凹溝２２により区画された複数の基本突条２１が形成され、各基本突条２１の表面には、当該基本突条２１よりも小さい複数の微細突条２３が形成されている。このような構成によれば、壁紙５０とコーナ下地材１との結合強度が十分に高められるという利点がある。
【００３８】
すなわち、上記実施形態では、コーナ下地材１の第１・第２壁部１１，１２に複数の凹溝２２が形成されるので、この凹溝２２に充填されたパテ５２がいわゆるアンカー効果を発揮し、パテ５２のコーナ下地材１に対する結合強度が全体的に高められる。加えて、複数の凹溝２２の間に形成された複数の基本突条２１の各表面に微細突条２３が形成されるので、パテ５２（および接着剤５１）を介して壁紙５０がコーナ下地材１に貼り付けられた状態で、仮に壁紙５０に何らかの外力が加わったとしても、その外力に伴うパテ５２の局所変形が微細突条２３により抑制される。例えば、基本突条２１の表面から仮に微細突条２３が省略された場合（基本突条２１の表面が平滑面とされた場合）には、基本突条２１の表面と壁紙５０との間に塗布された薄層のパテが比較的容易にせん断方向に変形すると考えられる。このため、例えば壁紙５０に繰り返し外力が加わったような場合に、パテと基本突条２１との結合が比較的容易に解除されて、壁紙５０が剥がれるおそれがある。これに対し、上記実施形態のように、基本突条２１の表面に複数の微細突条２３を形成した場合には、各微細突条２３の間に形成された微小な凹溝にそれぞれパテ５２が入り込むので、例えば壁紙５０に加わった外力を受けてパテ５２がせん断方向に変形しようとしても、その変形が微細突条２３により阻止される。これにより、パテ５２と基本突条２１との結合強度が高められるので、上述した基本突条２１の間の凹溝２２によるアンカー効果と相俟って、壁紙５０がコーナ下地材１から剥がれるのを効果的に抑制することができる。
【００３９】
また、上記実施形態では、各微細突条２３が断面視において三角形状に形成されるとともに、その第１面２３ａと仮想底面Ｓとの交差角度（第１角度）θ１よりも、第２面２３ｂと仮想底面Ｓとの交差角度（第２角度）θ２の方が大きく設定されている。言い換えると、各微細突条２３が呈する三角形は、その頂点Ｐが基準面Ｑ（仮想底面Ｓと直交しかつ仮想底面Ｓを二等分する面）よりもコーナ下地材１の外角部１５側にオフセットするような形状、いわば外角部１５側を向いて倒れるように変形した不等辺三角形状に形成されている。このような構成によれば、壁紙５０をより安定的にコーナ下地材１に結合させることができるという利点がある。
【００４０】
すなわち、各微細突条２３が上記のような不等辺三角形状に形成された場合、各微細突条２３の間に充填されたパテは、特に図８の矢印Ｄ１に示すせん断方向に変形し難くなる。このため、経年劣化等による壁紙５０の破損が最も起き易い外角部１５を起点として、壁紙５０が図８の矢印Ｄ２に示す方向に剥がれようとしても、その剥がれを各微細突条２３の間のパテ５２により効果的に抑制することができ、壁紙５０の結合強度を安定的に維持することができる。
【００４１】
特に、上記実施形態では、第１角度θ１が９０度未満の鋭角に設定され、かつ第２角度θ２が９０度よりも大きい鈍角に設定されているので、矢印Ｄ１に示すせん断方向にパテ５２が変形するのをより効果的に抑制することができ、壁紙５０の結合強度をより安定的に維持することができる。
【００４２】
また、上記実施形態では、隣接する基本突条２１の間に形成される凹溝２２が、その底面側ほど幅広になるように（図５においてＡ＞Ｂとなるように）形成されているので、凹溝２２によるアンカー効果をより高めることができ、コーナ下地材１に対するパテ５２の結合強度を全体的に十分に高めることができる。
【００４３】
なお、上記実施形態では、コーナ下地材１の表面にパテ５２を塗布しかつ壁紙５０の裏面に接着剤５１を塗布することにより、これら接着剤５１およびパテ５２を介して壁紙５０とコーナ下地材１とを貼り付けるようにしたが、例えばパテまたは接着剤からなる一層の充填材だけで十分な結合強度が得られる場合には、その一層の充填材だけを用いて壁紙５０を貼り付けるようにしてもよい。
【００４４】
また、上記実施形態では、基本突条２１の表面の微細突条２３を断面視三角形状に形成したが、微細突条２３の断面形状は種々変更可能である。例えば、図９に示すコーナ下地材１’のように、三角形の頂点に丸みを有する微細突条２３’を形成してもよい。あるいは、三角形とは異なる（例えば台形状の）断面形状を有した微細突条を形成してもよい。
【符号の説明】
【００４５】
１  コーナ下地材
１１  第１壁部
１２  第２壁部
１５  外角部
２１  基本突条
２２  凹溝
２３  微細突条
２３ａ  第１面
２３ｂ  第２面
３０  基材
５０  壁紙
Ｃ  （基材の）角部
Ｐ  頂点
Ｓ  仮想底面
Ｘ  出隅部
θ１  第１角度
θ２  第２角度
【図１】
2019065672.tif 000003
【図２】
2019065672.tif 000004
【図３】
2019065672.tif 000005
【図４】
2019065672.tif 000006
【図５】
2019065672.tif 000007
【図６】
2019065672.tif 000008
【図７】
2019065672.tif 000009
【図８】
2019065672.tif 000010
【図９】
2019065672.tif 000011